(57)【要約】      （修正有）【課題】ＲＦ伝送方法及びその装置を提供する。【解決手段】ＲＦ伝送方法は、ＲＦリーダがＲＦ命令を送信することと、ＲＦタグが複数のビットを含むＲＦ命令を受信することと、ＲＦタグがＲＦ命令の各ビットの電位波形の１つの電位における時間の長さによって各ビットのロジック状態を判断することと、ＲＦリーダに応答するため、ＲＦタグが各ビットのロジック状態に基づき応答信号を送信するかどうかを判断することと、を含む。【選択図】図３
2018190421.tif 000002
【特許請求の範囲】
【請求項１】
複数のビットを含むＲＦ命令を送信するためのＲＦリーダと、
前記ＲＦ命令を受信し、各前記ビットの電位波形の１つの電位における時間の長さによって各前記ビットのロジック状態を判断し、かつ各前記ビットのロジック状態に基づき前記ＲＦ命令が複数の第１あらかじめ保存された命令と一致するかどうかを判断し、前記ＲＦリーダに応答するため、前記ＲＦ命令と前記第１あらかじめ保存された命令との一致の有無という判断結果によって応答信号を送信するかどうか判断するＲＦタグと、
前記ＲＦ命令を受信し、各前記ビットの前記電位波形の１つの電位における時間の長さによって各前記ビットのロジック状態を判断し、かつ各前記ビットのロジック状態に基づき前記ＲＦ命令が複数の第２あらかじめ保存された命令と一致するかどうかを判断し、前記ＲＦリーダに応答するため、前記ＲＦ命令と前記第２あらかじめ保存された命令との一致の有無という判断結果によって別の応答信号を送信するかどうか判断する別のＲＦタグと、
を含むＲＦ伝送装置において、
前記ＲＦタグが前記応答信号を送信する時、あらかじめ設定された時間に前記応答信号を送信し、前記別のＲＦタグが前記別の応答信号を送信する時、別のあらかじめ設定された時間に前記応答信号を送信し、前記あらかじめ設定された時間と前記別のあらかじめ設定された時間との時間差は閥値より大きいことを特徴とする、ＲＦ伝送装置。
【請求項２】
前記ＲＦリーダは、デフォルトの遅延時間を待った後、前記ＲＦ命令を送信することを特徴とする、請求項１に記載のＲＦ伝送装置。
【請求項３】
前記ＲＦタグは、各前記ビットのロジック状態に基づき前記ＲＦ命令と前記第１あらかじめ保存された命令を照合することで、前記応答信号を送信するかどうかを判断し、前記ＲＦ命令と前記あらかじめ保存された命令とが不一致であった場合、前記ＲＦタグは前記応答信号を送信しないことを特徴とする、請求項３に記載のＲＦ伝送装置。
【請求項４】
前記ＲＦ命令が前記あらかじめ保存された命令のうちのいずれかと一致した場合、前記ＲＦタグは、前記あらかじめ設定された時間に前記応答信号を送信することを特徴とする、請求項３に記載のＲＦ伝送装置。
【請求項５】
前記別のＲＦタグが各前記ビットのロジック状態に基づき前記ＲＦ命令と前記第２あらかじめ保存された命令を照合し、前記ＲＦ命令は前記第２あらかじめ保存された命令のうちのいずれかと一致した場合、前記別のＲＦタグが前記別のあらかじめ設定された時間に前記別の応答信号を送信することを特徴とする、請求項４に記載のＲＦ伝送装置。
【請求項６】
前記電位波形が高電位、低電位、プラス電位、ゼロ電位、マイナス電位の少なくともいずれか一つを含み、請求項１に記載のＲＦ伝送装置。
【請求項７】
前記ＲＦタグが前記応答信号を送信した時、デフォルトされていた遅延時間を待ってから前記あらかじめ設定された時間に前記応答信号を送信することを特徴とする、請求項１に記載のＲＦ伝送装置。
【請求項８】
前記ＲＦタグは、
各前記ビットの電位波形の１つの電位における時間の長さによって各前記ビットのロジック状態を判断することで、前記ＲＦ命令に基づき前記応答信号の生成及び制御信号の出力の有無を判断する処理回路と、
前記制御信号に制御される応用回路と、
を含むことを特徴とする、請求項１に記載のＲＦ伝送装置。
【請求項９】
前記ＲＦタグは、前記処理回路に接続し、第１押圧状態及び第２押圧状態を有し、前記処理回路が前記第１押圧状態及び前記第２押圧状態によって異なるロジック状態を有する前記応答信号を生成する物理的なボタンを更に含むことを特徴とする、請求項８に記載のＲＦ伝送装置。
【請求項１０】
前記ＲＦリーダは、
前記応答信号の各前記ビットの前記電位波形の１つの電位における時間の長さによって前記応答信号の各前記ビットのロジック状態を判断することで、前記応答信号によって制御信号を出力する処理回路と、
前記制御信号に制御される応用回路と、
を含むことを特徴とする、請求項１に記載のＲＦ伝送装置。
【請求項１１】
前記処理回路は、更に前記ＲＦ命令を生成するために用いられ、前記ＲＦリーダが前記処理回路に接続し、第１押圧状態及び第２押圧状態を有し、前記処理回路が前記第１押圧状態及び前記第２押圧状態によって異なるロジック状態を有する前記ＲＦ命令を生成する物理的なボタンを更に含むことを特徴とする、請求項１０に記載のＲＦ伝送装置。
【請求項１２】
ＲＦリーダがＲＦ命令を送信することと、
ＲＦタグが複数のビットを含む前記ＲＦ命令を受信することと、
前記ＲＦタグが各前記ビットの前記電位波形の１つの電位における時間の長さによって各前記ビットのロジック状態を判断することと、
前記ＲＦタグは各前記ビットのロジック状態に基づき前記ＲＦ命令が複数の第１あらかじめ保存された命令と一致するかどうかを判断することと、
前記ＲＦタグは前記ＲＦリーダに応答するため、前記ＲＦ命令と前記第１あらかじめ保存された命令との一致の有無という判断結果によって応答信号を送信するかどうか判断し、前記ＲＦタグが前記応答信号を送信する時、あらかじめ設定された時間に前記応答信号を送信することと、
別のＲＦタグが前記ＲＦ命令を受信することと、
前記別のＲＦタグが各前記ビットの前記電位における時間の長さによって各前記ビットのロジック状態を判断することと、
前記別のＲＦタグは各前記ビットのロジック状態に基づき前記ＲＦ命令が複数の第２あらかじめ保存された命令と一致するかどうかを判断することと、
前記別のＲＦタグは前記ＲＦリーダに応答するため、前記ＲＦ命令と前記第２あらかじめ保存された命令との一致の有無という判断結果によって別の応答信号を送信するかどうか判断し、前記別のＲＦタグが前記別の応答信号を送信する時、別のあらかじめ設定された時間に前記別の応答信号を送信し、前記別のあらかじめ設定された時間と前記あらかじめ設定された時間との時間差は閥値より大きいことと、
を含むことを特徴とする、ＲＦ伝送方法。
【請求項１３】
前記電位波形が高電位、低電位、プラス電位、ゼロ電位、マイナス電位の少なくともいずれか一つを含み、請求項１２に記載のＲＦ伝送方法。
【請求項１４】
各前記ビットのロジック状態に基づき前記ＲＦ命令が前記第１あらかじめ保存された命令と一致するかどうかを判断することで、前記応答信号の送信の有無を判断するステップは、
前記ＲＦタグが各前記ビットのロジック状態に基づき前記ＲＦ命令と前記第１あらかじめ保存された命令を照合することと、
前記ＲＦ命令と各前記あらかじめ保存された命令とが不一致であった場合、前記ＲＦタグが前記応答信号を送信しないことと、
を含むことを特徴とする、請求項１２に記載のＲＦ伝送方法。
【請求項１５】
各前記ビットのロジック状態に基づき前記ＲＦ命令が前記第１あらかじめ保存された命令と一致するかどうかを判断することで、前記応答信号の送信の有無を判断するステップは、前記ＲＦ命令と前記第１あらかじめ保存された命令とが一致した場合、前記ＲＦタグが前記あらかじめ設定された時間に前記応答信号を送信することを更に含むことを特徴とする、請求項１４に記載のＲＦ伝送方法。
【請求項１６】
前記別のＲＦタグは各前記ビットのロジック状態に基づき前記ＲＦ命令が前記第２あらかじめ保存された命令と一致するかどうかを判断することで、前記別の応答信号の送信の有無を判断するステップは、
前記別のＲＦタグが各前記ビットのロジック状態に基づき前記ＲＦ命令と前記第２あらかじめ保存された命令を照合することと、
前記ＲＦ命令と前記第２あらかじめ保存された命令とが一致した場合、前記別のＲＦタグが前記別のあらかじめ設定された時間に前記別の応答信号を送信することと、
を含むことを特徴とする、請求項１５に記載のＲＦ伝送方法。
【請求項１７】
前記ＲＦタグが前記応答信号を送信した時、前記ＲＦリーダの応用回路を駆動させるため、前記ＲＦリーダの前記処理回路が前記応答信号に基づき制御信号を出力することを更に含むことを特徴とする、請求項１２に記載のＲＦ伝送方法。
【請求項１８】
前記ＲＦタグが前記応答信号を送信するかどうかを判断するステップは、
前記処理回路が前記ＲＦ命令の各前記ビットのロジック状態に基づき前記応答信号を生成するかどうかを判断することと、
前記処理回路が前記ＲＦ命令に基づき応答信号を生成した時、前記ＲＦタグの物理的なボタンの第１押圧状態及び第２押圧状態によって異なるロジック状態を有する前記応答信号を生成し、前記ＲＦタグに前記応答信号を送信させることと、
を含むことを特徴とする、請求項１２に記載のＲＦ伝送方法。
【請求項１９】
前記ＲＦタグが各前記ビットの１つの電位における時間の長さによって各前記ビットのロジック状態を判断するステップにおいて、前記ＲＦタグの前記処理回路が各前記ビットのロジック状態を判断し、かつ前記処理回路が前記ＲＦ命令に基づき制御信号を出力して前記ＲＦタグの前記応用回路を駆動させることを特徴とする、請求項１２に記載のＲＦ伝送方法。
【請求項２０】
前記ＲＦリーダが前記ＲＦ命令を送信するステップは、前記ＲＦリーダの前記処理回路が前記ＲＦリーダの物理的なボタンの一第１押圧状態及び第２押圧状態によって異なるロジック状態を有する前記ＲＦ命令を各々生成し、前記ＲＦリーダに前記ＲＦ命令を送信させることを含むことを特徴とする、請求項１２に記載のＲＦ伝送方法。
【請求項２１】
前記ＲＦリーダが前記送信ＲＦ命令を送信するステップにおいて、前記ＲＦリーダがデフォルトされていた遅延時間を待った後で前記ＲＦ命令を送信することを特徴とする、請求項１２に記載のＲＦ伝送方法。
【請求項２２】
前記ＲＦタグが前記応答信号を送信するかどうかを判断するステップは、前記ＲＦタグが前記応答信号を送信した時、デフォルトされていた遅延時間を待った後で前記あらかじめ設定された時間に前記応答信号を送信することを含むことを特徴とする、請求項１２に記載のＲＦ伝送方法。
【発明の詳細な説明】
【技術分野】
【０００１】
本発明は、ＲＦ伝送方法及びその装置に関する。
【背景技術】
【０００２】
ＲＦタグ（Ｒａｄｉｏ  Ｆｒｅｑｕｅｎｃｙ  Ｉｄｅｎｔｉｆｉｃａｔｉｏｎ、ＲＦＩＤ）は、無線通信技術であり、信号を無線周波数の電磁界に変調し、データを物品に付着するＲＦタグから伝送する。ＲＦタグ内部の電力供給の有無により、ＲＦタグを受動型及び能動型に区分けすることができる。受動型ＲＦタグ内部の集積回路は、ＲＦリーダから発せられた電磁波で駆動でき、ＲＦタグが受信した信号の強度は十分な時、ＲＦリーダに対しデータを発することができる。能動型ＲＦタグは、内部電力を通じて、随時内部ＲＦタグのメモリのデータをＲＦリーダに自動的に送信できる。
【０００３】
日常生活において、ＲＦタグは、幅広く活用されており、例えば、決済時に商品のバーコードを読み取って購買額を計算し、倉庫時に商品のバーコードを読み取って在庫状況を確認し、商品の出庫又は入庫時に商品のバーコードを読み取って物流の状況を確認し、荷物分類、ＲＦを人員或いは物品上に設けて在庫、資産に対する追跡及び管理、紙幣及び製品の偽造防止技術に用いられ、更に人体に埋め込んで個人の身分証明書とすることである。しかしながら、現行のＲＦタグの応用において、大量のＲＦタグが同時にＲＦ信号をＲＦリーダに送信された時、複数のＲＦ信号間において相互干渉が起き、ＲＦリーダが受信したＲＦ信号はＲＦタグから送信されたＲＦ信号と異なる、又は一部のＲＦ信号のみを受信することで、ＲＦ通信の失敗につながっていた。
【発明の概要】
【発明が解決しようとする課題】
【０００４】
本発明は、上記問題を鑑みてなされたものであり、ＲＦ伝送方法及びその装置を提供する。
【課題を解決するための手段】
【０００５】
一実施例において、ＲＦ伝送装置であって、ＲＦリーダとＲＦタグと、別のＲＦタグとを含む。ＲＦリーダは、ＲＦ命令を送信するために用いられ、ＲＦ命令が複数のビットを含む。ＲＦタグは、ＲＦ命令を受信し、ＲＦ命令の各ビットの電位波形の１つの電位における時間の長さによって各ビットのロジック状態を判断し、かつＲＦタグは各ビットのロジック状態に基づきＲＦ命令が複数の第１あらかじめ保存された命令と一致するかどうかを判断することで、ＲＦリーダに応答するため、ＲＦ命令と第１あらかじめ保存された命令との一致の有無という判断結果によって応答信号を送信するかどうか判断する。前記別のＲＦタグは、前記ＲＦ命令を受信し、ＲＦ命令の各ビットの電位における時間の長さによってＲＦ命令の各ビットのロジック状態を判断し、かつ別のＲＦタグは各ビットのロジック状態に基づきＲＦ命令が複数の第２あらかじめ保存された命令と一致するかどうかを判断し、ＲＦリーダに応答するため、ＲＦ命令と第２あらかじめ保存された命令との一致の有無という判断結果によって別の応答信号を送信するかどうか判断する。ＲＦタグが応答信号を送信する時、あらかじめ設定された時間に応答信号を送信し、別のＲＦタグが別の応答信号を送信する時、別のあらかじめ設定された時間に応答信号を送信し、あらかじめ設定された時間と別のあらかじめ設定された時間との時間差は閥値より大きい。
【０００６】
一実施例において、前記ＲＦリーダはデフォルトの遅延時間を待った後、ＲＦ命令を送信する。
【０００７】
一実施例において、前記ＲＦタグは、各ビットのロジック状態に基づきＲＦ命令と複数の第１あらかじめ保存された命令を照合することで、応答信号を送信するかどうかを判断し、ＲＦ命令と各第１あらかじめ保存された命令とが不一致であった場合、ＲＦタグは応答信号を送信しない。
【０００８】
一実施例において、ＲＦ命令が前記第１あらかじめ保存された命令のうちのいずれかと一致した場合、ＲＦタグは前記あらかじめ設定された時間に応答信号を送信する。
【０００９】
一実施例において、前記ＲＦ伝送装置の別のＲＦタグは各ビットのロジック状態に基づきＲＦ命令と複数の第２あらかじめ保存された命令を照合し、ＲＦ命令は第２あらかじめ保存された命令のうちのいずれかと一致した場合、別のＲＦタグが別のあらかじめ設定された時間に別の応答信号を送信する。
【００１０】
一実施例において、電位波形が高電位、低電位、プラス電位、ゼロ電位、マイナス電位の少なくともいずれか一つを含み、前記ＲＦタグ及び別のＲＦタグは、ＲＦ命令の各ビットの電位波形の１つの電位における時間の長さによって各ビットのロジック状態を判断する。
【００１１】
一実施例において、ＲＦタグが前記応答信号を送信した時、デフォルトされていた遅延時間を待ってから前記あらかじめ設定された時間に応答信号を送信する。
【００１２】
一実施例において、前記ＲＦタグは、処理回路と応用回路とを含む。ＲＦタグの処理回路は、ＲＦ命令の各ビットの電位波形の１つの電位における時間の長さによってＲＦ命令の各ビットのロジック状態を判断することで、ＲＦ命令に基づき応答信号及び制御信号を生成するかどうかを判断し；応用回路は、前記制御信号に制御される。
【００１３】
一実施例において、前記ＲＦタグは、ＲＦタグの処理回路に接続する物理的なボタンを更に含み、ＲＦタグの物理的なボタンが第１押圧状態及び第２押圧状態を有し、ＲＦタグの処理回路が第１押圧状態及び第２押圧状態によって異なるロジック状態を有する応答信号を生成する。
【００１４】
一実施例において、前記ＲＦリーダは、処理回路と応用回路とを含む。ＲＦリーダの処理回路は、応答信号の各ビットの電位波形の１つの電位における時間の長さによって応答信号の各ビットのロジック状態を判断することで、応答信号に基づき制御信号を出力する。応用回路は、前記出力信号に制御される。
【００１５】
一実施例において、ＲＦリーダの処理回路は、更にＲＦ命令を生成するために用いられ、ＲＦリーダがＲＦリーダの処理回路に接続する物理的なボタンを更に含み、ＲＦリーダの物理的なボタンは第１押圧状態及び第２押圧状態を有し、ＲＦリーダの処理回路が第１押圧状態及び第２押圧状態によって異なるロジック状態を有するＲＦ命令を生成する。
【００１６】
一実施例において、ＲＦ伝送方法は、ＲＦリーダがＲＦ命令を送信することと、ＲＦタグが複数のビットを含む前記ＲＦ命令を受信することと、ＲＦタグがＲＦ命令の各ビットの電位波形の１つの電位における時間の長さによって各ビットのロジック状態を判断することと、ＲＦタグは各ビットのロジック状態に基づきＲＦ命令が複数の第１あらかじめ保存された命令と一致するかどうかを判断することと、ＲＦタグがＲＦリーダに応答するため、ＲＦ命令と第１あらかじめ保存された命令との一致の有無という判断結果によって応答信号を送信するかどうかを判断し、ＲＦタグが応答信号を送信する時、あらかじめ設定された時間に応答信号を送信することと、を含む。かつ、前記ＲＦ伝送方法は、別のＲＦタグがＲＦ命令を受信することと、別のＲＦタグがＲＦ命令の各ビットの前記電位における時間の長さによって各ビットのロジック状態を判断することと、別のＲＦタグはＲＦ命令の各ビットのロジック状態に基づきＲＦ命令が複数の第２あらかじめ保存された命令と一致するかどうかを判断することと、別のＲＦタグはＲＦリーダに応答するため、ＲＦ命令と第２あらかじめ保存された命令との一致の有無という判断結果によって別の応答信号を送信するかどうか判断し、別のＲＦタグが別の応答信号を送信する時、別のあらかじめ設定された時間に別の応答信号を送信し、前記別のあらかじめ設定された時間と前記あらかじめ設定された時間との時間差は閥値より大きいことと、を更に含む。
【００１７】
一実施例において、前記各ビットの前記電位波形の１つの電位における時間の長さによって各ビットのロジック状態を判断するステップでは、ＲＦタグ及び別のＲＦタグが各ビットの電位波形の１つの電位における時間の長さによって各ビットのロジック状態を判断する。
【００１８】
一実施例において、前記各ビットのロジック状態に基づき応答信号を送信するかどうかを判断するステップは、ＲＦタグが各ビットのロジック状態に基づきＲＦ命令と複数の第１あらかじめ保存された命令を照合することと、ＲＦ命令と各あらかじめ保存された命令とが不一致であった場合、ＲＦタグが応答信号を送信しないことと、を含む。
【００１９】
一実施例において、前記各ビットのロジック状態に基づき応答信号を送信するかどうかを判断するステップは、ＲＦ命令と第１あらかじめ保存された命令とが一致した場合、ＲＦタグがあらかじめ設定された時間に応答信号を送信することを更に含む。
【００２０】
一実施例において、前記別のＲＦタグはＲＦ命令の各ビットのロジック状態に基づきＲＦ命令が第２あらかじめ保存された命令と一致するかどうかを判断することで、別の応答信号を送信するかどうか判断するステップでは、別のＲＦタグが各ビットのロジック状態に基づきＲＦ命令と複数の第２あらかじめ保存された命令を照合することと、ＲＦ命令と第２あらかじめ保存された命令とが一致した場合、別のＲＦタグが別のあらかじめ設定された時間に別の応答信号を送信することと、を更に含む。
【００２１】
一実施例において、前記ＲＦ伝送方法は、ＲＦタグが応答信号を送信した時、ＲＦリーダの応用回路を駆動させるため、ＲＦリーダの処理回路が応答信号に基づき制御信号を出力することを更に含む。
【００２２】
一実施例において、前記ＲＦタグが応答信号を送信するかどうかを判断するステップは、ＲＦタグの処理回路がＲＦ命令の各ビットのロジック状態に基づき応答信号を生成するかどうかを判断することと、処理回路がＲＦ命令に基づき応答信号を生成した時、ＲＦタグの物理的なボタンの第１押圧状態及び第２押圧状態によって異なるロジック状態を有する応答信号を生成し、ＲＦタグに応答信号を送信させることと、を含む。
【００２３】
一実施例において、前記ＲＦタグがＲＦ命令の各ビットの電位波形の１つの電位における時間の長さによって各ビットのロジック状態を判断するステップでは、ＲＦタグの処理回路が各ビットのロジック状態を判断し、かつＲＦタグの処理回路がＲＦ命令に基づき制御信号を出力してＲＦタグの応用回路を駆動させる。
【００２４】
一実施例において、前記ＲＦリーダがＲＦ命令を送信するステップは、ＲＦリーダの処理回路がＲＦリーダの物理的なボタンの一第１押圧状態及び第２押圧状態によって異なるロジック状態を有するＲＦ命令を各々生成し、ＲＦリーダにＲＦ命令を送信させることを含む。
【００２５】
一実施例において、前記ＲＦリーダが送信ＲＦ命令を送信するステップでは、ＲＦリーダがデフォルトされていた遅延時間を待った後でＲＦ命令を送信する。
【００２６】
一実施例において、前記ＲＦタグが応答信号を送信するかどうかを判断するステップは、ＲＦタグが応答信号を送信した時、デフォルトされていた遅延時間を待ってから前記あらかじめ設定された時間に応答信号を送信することを含む。
【発明の効果】
【００２７】
上記をまとめると、本発明のＲＦ伝送方法及びその装置の一実施例によれば、複数のＲＦタグの間では、異なる時点にＲＦリーダに応答でき、すなわち、複数のＲＦタグの間で送信した応答信号が互いに干渉することなく、ＲＦリーダに各ＲＦタグから送信された応答信号を受信させることができ、かつＲＦリーダとＲＦタグも物理的なボタンの押圧状態によってＲＦ命令及び応答信号の内容を各々変更し、またこれをもって互いに動作してＲＦ通信を行うことができる。
【図面の簡単な説明】
【００２８】
【図１】本発明の一実施態様に係るＲＦ伝送装置を示す模式図である。
【図２Ａ】ＲＦ命令のビットの第１ロジック状態における波形図である。
【図２Ｂ】ＲＦ命令のビットの第２ロジック状態における波形図である。
【図３】図１のＲＦリーダ及びＲＦタグの一実施態様の回路ブロック図である。
【図４】図１のＲＦリーダが送信したＲＦ命令の一実施態様の波形図である。
【図５】本発明に適した別の電位波形を示す模式図である。
【発明を実施するための形態】
【００２９】
図１は、本発明の一実施態様に係るＲＦ伝送装置を示す模式図である。図１を参照すると、ＲＦ伝送装置は、ＲＦリーダ１１とＲＦタグ１２とを含む。ＲＦリーダ１１は、ＲＦ命令Ｓ１を送信でき、ＲＦタグ１２がＲＦリーダ１１から送信されたＲＦ命令Ｓ１を受信できる。ＲＦ命令Ｓ１は、複数のビット、例えば６個のビットを有する。ＲＦ命令Ｓ１の各ビットは、第１ロジック状態又は第２ロジック状態を有し、第１ロジック状態を有するビットと第２ロジック状態を有するビットの高電位（一実施例において、電位波形内の最も高い電位を高電位と定義）における時間の長さが異なる。図２Ａは、ＲＦ命令Ｓ１のビットの第１ロジック状態における波形図であり、図２ＢがＲＦ命令Ｓ１のビットの第２ロジック状態における波形図である。図２Ａ及び図２Ｂに示すように、第１ロジック状態を有するビットの高電位における時間の長さＴ１は、第２ロジック状態を有するビットの高電位における時間の長さＴ２より小さい。よって、ＲＦタグ１２がＲＦ命令Ｓ１を受信した時、各ビットのロジック状態が第１ロジック状態又は第２ロジック状態であることを判断するため、ＲＦ命令Ｓ１の各ビットの高電位における時間の長さによってＲＦ命令Ｓ１の各ビットのロジック状態を判断する。各ビットのロジック状態を判定した後、ＲＦタグ１２は更にＲＦ命令Ｓ１によって応答信号Ｓ２を選択的に生成すると共にこれに基づき応答信号Ｓ２を送信する。
【００３０】
一実施態様において、ＲＦタグ１２は、無電源方式タグとすることができ、ＲＦタグ１２がＲＦ命令Ｓ１を受信すると、電力を有することで後続の動作を進めることができる。
【００３１】
図３は、図１のＲＦリーダ１１及びＲＦタグ１２の一実施態様の回路ブロック図である。図３を参照すると、ＲＦリーダ１１は、ＲＦ回路１１１と処理回路１１２とを含み、ＲＦ回路１１１が処理回路１１２に接続する。処理回路１１２は、ＲＦ命令Ｓ１を生成すると共にＲＦ命令Ｓ１をＲＦ回路１１１に伝達して送信できる。ＲＦタグ１２は、ＲＦ回路１２１と、ＲＦ回路１２１に接続する処理回路１２２とを含む。ＲＦ回路１２１は、ＲＦリーダ１１からのＲＦ命令Ｓ１を受信でき、またＲＦ命令Ｓ１を処理回路１２２に伝達できる。処理回路１２２は、ＲＦ命令Ｓ１の各ビットの高電位における時間の長さによって各ビットのロジック状態を判断すると共にこれに基づき応答信号Ｓ２を選択的に生成できる。処理回路１２２が応答信号Ｓ２の生成を選択した時、応答信号Ｓ２をＲＦ回路１２１に伝達するため送信する。
【００３２】
実装において、設計者は、第１ロジック状態及び第２ロジック状態の各々高電位における時間の長さ（記述上の便宜を図るため、以下に第１ロジック状態及び第２ロジック状態の高電位における時間の長さＴ１、Ｔ２が第１時間の長さＴ１及び第２時間の長さＴ２と各々称する）をあらかじめ定義できる。例を挙げると、第１時間の長さＴ１及び第２時間の長さＴ２は、各々１ｍｓ及び３ｍｓとすることができ；又は、第１時間の長さＴ１及び第２時間の長さＴ２も各々２４４μｓ及び４８８μｓとすることができる。よって、ＲＦリーダ１１の処理回路１１２は、あらかじめ定義された第１時間の長さＴ１及び第２時間の長さＴ２によってＲＦ命令Ｓ１の各ビットを生成し、各ビットに第１ロジック状態或いは第２ロジック状態を持たせることができる。次に、ＲＦタグ１２もあらかじめ定義された第１時間の長さＴ１及び第２時間の長さＴ２によってＲＦ命令Ｓ１の各ビットのロジック状態を判断できる。前記第１時間の長さＴ１及び第２時間の長さＴ２が各々１ｍｓ及び３ｍｓとすることを例とし、ＲＦ命令Ｓ１のビット（例えば２ビット目）の高電位における時間の長さを３ｍｓとした場合、処理回路１２２は、前記２ビット目が第２ロジック状態を有していると判断でき；ＲＦ命令Ｓ１の別のビット（例えば５ビット目）の高電位における時間の長さを１ｍｓとした場合、処理回路１２２は、５ビット目が第１ロジック状態を有していると判断できる。
【００３３】
一実施態様において、図２Ａ及び図２Ｂに示すように、設計者も第１ロジック状態及び第２ロジック状態の各々低電位における時間の長さ（記述上の便宜を図るため、以下に第１ロジック状態及び第２ロジック状態の低電位（一実施例において、電位波形内の最も低い電位を低電位と定義）における時間の長さが第３時間の長さＴ３及び第４時間の長さＴ４と各々称する）をあらかじめ定義できる。第３時間の長さＴ３は、第４時間の長さＴ４と同じ又は異なることができる。第３時間の長さＴ３が第４時間の長さＴ４と同じであることを例とし、第３時間の長さＴ３及び第４時間の長さＴ４は、いずれも３ｍｓとすることができ；第３時間の長さＴ３が第４時間の長さＴ４と異なることを例とすると、第３時間の長さＴ３は２４４μｓとし、第４時間の長さＴ４を４８８μｓとする。よって、ＲＦリーダ１１の処理回路１１２は、あらかじめ定義された第１時間の長さＴ１、第２時間の長さＴ２、第３時間の長さＴ３及び第４時間の長さＴ４によってＲＦ命令Ｓ１の各ビットを生成でき、かつＲＦタグ１２の処理回路１２２はあらかじめ定義された第１時間の長さＴ１、第２時間の長さＴ２、第３時間の長さＴ３及び第４時間の長さＴ４によって各ビットのロジック状態を判断できる。前記ＲＦ命令Ｓ１の２ビット目及び５ビット目を例とすると、５ビット目の高電位及び低電位における時間の長さが各々１ｍｓ及び３ｍｓの時、処理回路１２２は、５ビット目が第１ロジック状態を有していると判定でき、２ビット目の高電位及び低電位における時間の長さが均しく３ｍｓの時、処理回路１２２は２ビット目が第２ロジック状態を有していると判定できる。
【００３４】
一実施態様において、ＲＦタグ１２がＲＦ命令Ｓ１を受信した時、処理回路１２２を通じてＲＦ命令Ｓ１と複数のあらかじめ保存された命令を照合して応答信号Ｓ２を選択的に生成する。詳細に言うと、図３に示すように、ＲＦタグ１２は処理回路１２２に接続するメモリ回路１２３を更に含み、メモリ回路１２３が前記複数のあらかじめ保存された命令を保存でき、処理回路１２２がメモリ回路１２３から各あらかじめ保存された命令を読み取ると共にＲＦ命令Ｓ１の各ビットのロジック状態を判断した後、ＲＦ命令Ｓ１の各ビットと各あらかじめ保存された命令の各ビットを照合できる。ＲＦ命令Ｓ１があらかじめ保存された命令のいずれかと一致した場合、処理回路１２２は更にＲＦ命令Ｓ１に基づき応答信号Ｓ２を生成するかどうかを決定し、ＲＦ回路１２１に応答信号Ｓ２を選択的に送信させ；ＲＦ命令Ｓ１と各あらかじめ保存された命令とが不一致であった場合、処理回路１２２は応答信号Ｓ２を生成せず、ＲＦ回路１２１に応答信号Ｓ２を送信させない。
【００３５】
一実施態様において、図１及び図３を一緒に参照すると、ＲＦ伝送装置は、別のＲＦタグ１３を更に含み、ＲＦタグ１３がＲＦ回路１３１とメモリ回路１３３と処理回路１３２とを含む。処理回路１３２は、ＲＦ回路１３１とメモリ回路１３３の間を接続する。ＲＦ回路１３１は、ＲＦリーダ１１から送信されたＲＦ命令Ｓ１を受信でき、処理回路１３２が第１時間の長さＴ１及び第２時間の長さＴ２によってＲＦ命令Ｓ１の各ビットのロジック状態を判断でき、又は第１時間の長さＴ１、第２時間の長さＴ２、第３時間の長さＴ３及び第４時間の長さＴ４によってＲＦ命令Ｓ１の各ビットのロジック状態を判断できる。次に、処理回路１３２は、ＲＦ命令Ｓ１とメモリ回路１３３内の複数のあらかじめ保存された命令（記述上の便宜を図るため、以下にメモリ回路１２３内のあらかじめ保存された命令を第１あらかじめ保存された命令と称し、メモリ回路１３３内のあらかじめ保存された命令を第２あらかじめ保存された命令と称する）を照合することで、別の応答信号Ｓ３（記述上の便宜を図るため、以下に処理回路１２２で生成される応答信号を第１応答信号Ｓ２と称し、処理回路１３２で生成される応答信号を第２応答信号Ｓ３と称する）を生成するかどうかを決定できる。ＲＦ命令Ｓ１が第２あらかじめ保存された命令中のいずれかと一致した場合、処理回路１３２はＲＦ命令Ｓ１に基づき第２応答信号Ｓ３を選択的に生成し；ＲＦ命令Ｓ１と各第２あらかじめ保存された命令とが不一致であった場合、処理回路１３２は第２応答信号Ｓ３を生成しない。
【００３６】
よって、ＲＦタグ１２の処理回路１２２及びＲＦタグ１３の処理回路１３２が各々第１応答信号Ｓ２及び第２応答信号Ｓ３を生成した時、ＲＦ回路１２１は、あらかじめ指定された第１あらかじめ設定された時間に第１応答信号Ｓ２を送信し、またＲＦ回路１３１があらかじめ指定された第２あらかじめ設定された時間に第２応答信号Ｓ３を送信し、かつ前記第２あらかじめ設定された時間と第１あらかじめ設定された時間との時間差は閥値より大きく、ＲＦタグ１３に異なる時点に各々２つの応答信号Ｓ２、Ｓ３を受信させることができる。例を挙げると、前記閥値を１ｍｓとした例において、ＲＦ回路１２１は、処理回路１２２がＲＦ命令Ｓ１と第１あらかじめ保存された命令のいずれかとの一致を判断した後あらかじめ設定された時間８ｍｓを経ってから第１応答信号Ｓ２を送信でき、またＲＦ回路１３１は、処理回路１３２がＲＦ命令Ｓ１と第２あらかじめ保存された命令のいずれかとの一致を判断した後６ｍｓ又は８ｍｓと異なりかつ時間差が１ｍｓより大きいあらかじめ設定された時間、例えば１０ｍｓ、１５ｍｓ或いは３ｍｓを経ってから第２応答信号Ｓ３を送信できる。ここで、ＲＦタグ１２、１３が送信した第１応答信号Ｓ２と第２応答信号Ｓ３の間は互いに干渉することなく、ＲＦリーダ１１にＲＦタグ１２、１３からの第１応答信号Ｓ２及び第２応答信号Ｓ３を受信させることができる。
【００３７】
以上は、ＲＦ伝送装置が２つのＲＦタグ１２、１３を含むことを例としているが、本発明はこれに限定されるものではなく、ＲＦ伝送装置は更に多くＲＦタグを含むことができ、例えば３個、４個、更には１０個を超える。従来技術に比べると、複数のＲＦタグの間では、異なる時点にＲＦリーダ１１に応答でき、すなわち、複数のＲＦタグの間で送信した応答信号が互いに干渉することなく、ＲＦリーダ１１に各ＲＦタグが送信した応答信号を受信させることができ、またこれに基づいて動作する。図３に示すように、ＲＦリーダ１１は応用回路１１３を更に含み、応用回路１１３が処理回路１１２の出力ピンに接続され、処理回路１１３が第１応答信号Ｓ２及び第２応答信号Ｓ３に基づいて対応の制御信号を各々生成でき、またその出力ピンを通じて応用回路１１３までに出力し、応用回路１１３がこれをもって動作させる。例を挙げると、応用回路１１３は、オーディオ再生回路又は発光回路とすることができ、応用回路１１３がオーディオ再生回路を例とすると、応用回路１１３は制御信号に制御されて対応の音声データ、映像データ又はオーディオデータを再生でき；応用回路１１３が発光回路を例とし、応用回路１１は３制御信号に制御されて対応する発光モードに入らせることができる。
【００３８】
一実施態様において、ＲＦリーダ１１は、ケーシング（図示せず）と、処理回路１１２の入力ピンに接続される物理的なボタン１１４とを更に含み、物理的なボタン１１４及び処理回路１１２がケーシング上及びケーシングの内部に各々設けられることができる。物理的なボタン１１４は、異なる２つの押圧状態（以下、各々第１押圧状態及び第２押圧状態と称する）を有し、第１押圧状態及び第２押圧状態が各々押圧状態及び非押圧状態とすることができ、処理回路１１２は前記入力ピンを通じて物理的なボタン１１４からの押圧状態を受信することで、異なる押圧状態に基づき異なるＲＦ命令Ｓ１（すなわち、ＲＦ命令Ｓ１内の少なくとも１個のビットのロジック状態は物理的なボタン１１４の押圧状態によって決定する）を生成できる。例を挙げると、物理的なボタン１１４が第１押圧状態にあった時、処理回路１１２で生成されたＲＦ命令Ｓ１内の１個のビット（例えば２ビット目）は第１ロジック状態を有し、物理的なボタン１１４が第２押圧状態にあった時、処理回路１１２で生成されたＲＦ命令Ｓ１の２ビット目は第２ロジック状態を有する。よって、ＲＦ伝送装置のユーザーは、物理的なボタン１１４の押圧状態の変更を通じてＲＦ命令Ｓ１を変更することで、ＲＦタグ１２、１３を制御して対応の動作を行わせることができる。
【００３９】
更に、ＲＦタグ１２を例とすると、ＲＦタグ１２はケーシング（図示せず）と、処理回路１２２の入力ピンに接続される物理的なボタン１２５とを更に含み、物理的なボタン１２５及び処理回路１２２がケーシング上及びケーシングの内部に各々設けられることができる。物理的なボタン１２５は、異なる２つの押圧状態（以下、各々第１押圧状態及び第２押圧状態と称する）を有し、物理的なボタン１２５の第１押圧状態及び第２押圧状態が各々押圧状態及び非押圧状態とすることができ、処理回路１２２は物理的なボタン１２５からの押圧状態を受信でき、ＲＦ命令Ｓ１に基づき応答信号を生成しようとした時、異なる押圧状態に基づき異なる第２応答信号Ｓ２（すなわち、第２応答信号Ｓ２内の少なくとも１個のビットのロジック状態は物理的なボタン１２５の押圧状態によって決定する）を生成できる。例を挙げると、物理的なボタン１２５が第１押圧状態にあった時、処理回路１２２で生成された第２応答信号Ｓ２内の１個のビット（例えば３ビット目）は第１ロジック状態を有し、物理的なボタン１２５が第２押圧状態にあった時、処理回路１２２で生成された第２応答信号Ｓ２の３ビット目は第２ロジック状態を有する。よって、ＲＦ伝送装置のユーザーは、物理的なボタン１２５の押圧状態の変更を通じて第２応答信号Ｓ２を変更することで、処理回路１２２を制御して対応の動作を行わせることができ、例えば処理回路１１２に異なるＲＦ命令Ｓ１を生成させ、又は処理回路１１２を通じて応用回路１１３を制御させる。
【００４０】
同じ理屈で、ＲＦタグ１３もそのケーシング（図示せず）上に設けられ、かつ処理回路１３２の入力ピンに接続される物理的なボタン１３５を含むことができ、処理回路１３２も物理的なボタン１３５の押圧状態に基づき異なる第３応答信号Ｓ３を生成することで、処理回路１１２を制御して対応の動作を行わせることができるので、ここでその説明を省略する。
【００４１】
一実施態様において、各ＲＦタグに正確に受信させかつＲＦ命令Ｓ１の各ビットを判別させるため、ＲＦリーダ１１が通電した後、ＲＦ命令を絶え間なく送信し、かつＲＦリーダ１１が各ＲＦ命令を送信する前に一定のデフォルトされていた遅延時間を待ち、すなわち、ＲＦリーダ１１がデフォルトされていた遅延時間内にＲＦ信号を送信せず、ＲＦリーダ１１の待ち時間の長さはデフォルトされていた遅延時間に等しくなった後、ＲＦ命令Ｓ１を送信してＲＦ命令Ｓ１の開始ラベルとする。
【００４２】
図４は、図１のＲＦリーダが送信したＲＦ命令Ｓ１の一実施態様の波形図である。図４に示されるように、ＲＦリーダ１１がデフォルトされていた遅延時間Ｔ５を待った後でＲＦ命令Ｓ１を送信し、デフォルトされていた遅延時間Ｔ５は７ｍｓとすることができ、ＲＦリーダ１１が７ｍｓを待った後でＲＦ命令Ｓ１の１ビット目から送信する（すなわち、時間範囲Ｔ６、時間範囲Ｔ７及び時間範囲Ｔ８にＲＦ命令Ｓ１の１ビット、目、２ビット目、３ビット目から最後ビットまで送信する）。よって、いずれかのＲＦタグが通電した後，ＲＦタグ１２を例とし、ＲＦタグ１２は先にＲＦ信号を受信していない時間の長さ（すなわち、低電位における時間の長さ）が前記例えば７ｍｓのデフォルトされていた遅延時間Ｔ５に等しいかどうかを検出し、ＲＦタグ１２はＲＦ信号を受信していない時間の長さが前記７ｍｓのデフォルトされていた遅延時間Ｔ５に等しくないことを検出した場合、ＲＦリーダ１１がまだＲＦ命令Ｓ１の１ビット目から送信を開始していないことを示し、この時、処理回路１２２はＲＦ命令Ｓ１に基づいて応答信号を生成するかどうかを判断することはなく、ＲＦタグ１２がまだＲＦ命令Ｓ１を受信しない、又は受信したＲＦ命令Ｓ１が不完全であったからであり；また、ＲＦタグ１２は、ＲＦ信号を受信していない時間の長さが前記７ｍｓのデフォルトされていた遅延時間Ｔ５に等しいことを検出した時、ＲＦリーダ１１が次にＲＦ命令Ｓ１の１ビット目からＲＦ命令Ｓ１の送信を開始することを示し、ＲＦリーダ１１がＲＦ命令Ｓ１の各ビットに送信した後、処理回路１２２はＲＦ命令Ｓ１の各ビットのロジック状態を判定でき、またメモリ回路１２３内の各第１あらかじめ保存された命令とＲＦ命令Ｓ１を照合することで、第１応答信号Ｓ２を生成するかどうかを判断する。
【００４３】
一実施態様において、ＲＦリーダ１１は、異なる情報を含むＲＦ命令Ｓ１を送信でき、ＲＦタグ１２、１３に異なるＲＦ命令Ｓ１に基づき対応の応答信号を送信させ又は応答信号を送信させない。例を挙げると、ＲＦ命令Ｓ１内には、業者識別子（Ｖｅｎｄｏｒ  ＩＤ、ＶＩＤ）及び／又は商品識別子（Ｐｒｏｄｕｃｔ  ＩＤ、ＰＩＤ）を含むことができ、ＲＦタグ１２、１３はＲＦ命令Ｓ１とあらかじめ保存された命令のいずれかとの一致を判断した時、ＲＦ命令Ｓ１に含まれる業者識別子及び／又は商品識別子があらかじめ保存された命令内のあらかじめ保存された識別情報と一致することを示し、この時ＲＦタグ１２、１３はその識別子（ＩＤ）及び／或いはＲＦリーダ１１に伝達しようとする入力データの第１応答信号Ｓ２及び第２応答信号Ｓ３を送信でき、すなわち、前記識別子、入力データ又はその他の情報を示すため、第１応答信号Ｓ２及び第２応答信号Ｓ３は複数のビットを含むことができ；或いは、ＲＦ命令Ｓ１は、ＲＦタグの存在の有無を確認する確認ラベルコードを含み、前記業者識別子及び商品識別子を含まない。ＲＦタグ１２、１３がＲＦ命令Ｓ１とあらかじめ保存された命令のいずれかとの一致を判断した後、前記確認ラベルの照合に成功したことを示し、この時、ＲＦタグ１２、１３は、第１応答信号Ｓ２及び第２応答信号Ｓ３を送信しない、又はＲＦタグ１２、１３に識別子及び／又は入力データを含んだ前記第１応答信号Ｓ２及び第２応答信号Ｓ３も送信させることができる。
【００４４】
次に、ＲＦタグ１２、１３内のいずれかは、応答信号を送信しようとした時、ＲＦタグ１２、１３が応答信号Ｓ２、Ｓ３を送信する前、一定の別のデフォルトされていた遅延時間、例えば４ｍｓを待ち、第１応答信号Ｓ２及び第２応答信号Ｓ３の開始ラベルとする。ここで、ＲＦタグ１２で第１応答信号Ｓ２を送信する前、４ｍｓのデフォルトされていた遅延時間を待つことを例とし、ＲＦリーダ１１はＲＦ命令Ｓ１を送信した後、４ｍｓのデフォルトされていた遅延時間を待ち、４ｍｓ経った後、ＲＦリーダ１１がＲＦタグ１２から送信された第１応答信号Ｓ２の第１ビットの受信を開始する。
【００４５】
更に、処理回路１２２、１３２は、ＲＦ命令Ｓ１に基づき応答信号の生成の有無を決定できる以外に、ＲＦ命令Ｓ１に基づき対応の出力信号の生成の有無を判断できる。ここで、２つの処理回路１２２、１３２は出力ピンを備え、ＲＦ命令Ｓ１に基づいて制御信号を各々生成した時、２つの制御信号は２つの処理回路１２２、１３２の出力ピンを通じて出力でき；ＲＦタグ１２、１３は更にその他の応用回路１２４、１３４、例えば発光回路、駆動モータ回路又はオーディオ再生回路を各々含み、応用回路１２４、１３４が処理回路１２２、１３２の出力ピンに各々接続されて処理回路１２２、１３２に制御される。応用回路１２４、１３４が発光回路を例とし、応用回路１２４、１３４は制御信号に基づいて対応の発光モードを生成でき；応用回路１２４、１３４はオーディオ再生回路を例とし、応用回路１２４、１３４が制御信号に基づいて音声データ、映像データ又はオーディオデータを再生でき；応用回路１２４、１３４は、駆動モータ回路を例とし、応用回路１２４、１３４が制御信号に基づきモータの正転又は逆転を各々制御でき、ＲＦタグ１２、１３が車輪の物体に結合した時、車輪もモータの正転、逆転に伴い前進或いは後退させることができる。
【００４６】
一実施態様において、応答信号及びＲＦ命令Ｓ１の周波数は、１２５ｋＨｚとすることができ、すなわち、ＲＦリーダ１１と各ＲＦタグ１２、１３との間は１２５ｋＨｚの周波数で交信することができる。よって、ＲＦリーダ１１と各ＲＦタグ１２、１３との間は低周波数で交信するため、省電力でき、かつ低周波数のＲＦ信号がブルートゥース信号、ＷＩ−ＦＩ信号及び携帯電話の信号等のような既存の無線通信信号を干渉させない。
【００４７】
図５を参照すると、本発明の上記実施例に適した別の電位波形を示す模式図である。図５は、階段状を呈し、かつ４種類の電位で構成された電位波形を示し、２つの異なるマイナス電位、１つのゼロ電位及び１つのプラス電位を包括する。また、本発明の上記実施例に適した電位波形もアナログ電位波形（例えば正弦波、三角波等）がＡＤＣ（アナログデジタル変換器）によって変換して得られる。
【産業上の利用可能性】
【００４８】
上記をまとめると、本発明のＲＦ伝送方法及びその装置の一実施例によれば、複数のＲＦタグの間では、異なる時点にＲＦリーダに応答でき、すなわち、複数のＲＦタグの間で送信した応答信号が互いに干渉することなく、ＲＦリーダに各ＲＦタグから送信された応答信号を受信させることができ、かつＲＦリーダとＲＦタグも物理的なボタンの押圧状態によってＲＦ命令及び応答信号の内容を各々変更し、またこれをもって互いに動作してＲＦ通信を行うことができる。
【００４９】
上述の説明は、単に本発明の最良の実施例を挙げたまでであり、本発明を限定しない。その他本発明の開示する要旨を逸脱することなく完成された同等効果の修飾または置換はいずれも後述の特許請求の範囲に含まれる。
【００５０】
（付記）
（付記１）
複数のビットを含むＲＦ命令を送信するためのＲＦリーダと、
前記ＲＦ命令を受信し、各前記ビットの電位波形の１つの電位における時間の長さによって各前記ビットのロジック状態を判断し、かつ各前記ビットのロジック状態に基づき前記ＲＦ命令が複数の第１あらかじめ保存された命令と一致するかどうかを判断し、前記ＲＦリーダに応答するため、前記ＲＦ命令と前記第１あらかじめ保存された命令との一致の有無という判断結果によって応答信号を送信するかどうか判断するＲＦタグと、
前記ＲＦ命令を受信し、各前記ビットの前記電位波形の１つの電位における時間の長さによって各前記ビットのロジック状態を判断し、かつ各前記ビットのロジック状態に基づき前記ＲＦ命令が複数の第２あらかじめ保存された命令と一致するかどうかを判断し、前記ＲＦリーダに応答するため、前記ＲＦ命令と前記第２あらかじめ保存された命令との一致の有無という判断結果によって別の応答信号を送信するかどうか判断する別のＲＦタグと、
を含むＲＦ伝送装置において、
前記ＲＦタグが前記応答信号を送信する時、あらかじめ設定された時間に前記応答信号を送信し、前記別のＲＦタグが前記別の応答信号を送信する時、別のあらかじめ設定された時間に前記応答信号を送信し、前記あらかじめ設定された時間と前記別のあらかじめ設定された時間との時間差は閥値より大きいことを特徴とする、ＲＦ伝送装置。
【００５１】
（付記２）
前記ＲＦリーダは、デフォルトの遅延時間を待った後、前記ＲＦ命令を送信することを特徴とする、付記１に記載のＲＦ伝送装置。
【００５２】
（付記３）
前記ＲＦタグは、各前記ビットのロジック状態に基づき前記ＲＦ命令と前記第１あらかじめ保存された命令を照合することで、前記応答信号を送信するかどうかを判断し、前記ＲＦ命令と前記あらかじめ保存された命令とが不一致であった場合、前記ＲＦタグは前記応答信号を送信しないことを特徴とする、付記３に記載のＲＦ伝送装置。
【００５３】
（付記４）
前記ＲＦ命令が前記あらかじめ保存された命令のうちのいずれかと一致した場合、前記ＲＦタグは、前記あらかじめ設定された時間に前記応答信号を送信することを特徴とする、付記３に記載のＲＦ伝送装置。
【００５４】
（付記５）
前記別のＲＦタグが各前記ビットのロジック状態に基づき前記ＲＦ命令と前記第２あらかじめ保存された命令を照合し、前記ＲＦ命令は前記第２あらかじめ保存された命令のうちのいずれかと一致した場合、前記別のＲＦタグが前記別のあらかじめ設定された時間に前記別の応答信号を送信することを特徴とする、付記４に記載のＲＦ伝送装置。
【００５５】
（付記６）
前記電位波形が高電位、低電位、プラス電位、ゼロ電位、マイナス電位の少なくともいずれか一つを含み、付記１に記載のＲＦ伝送装置。
【００５６】
（付記７）
前記ＲＦタグが前記応答信号を送信した時、デフォルトされていた遅延時間を待ってから前記あらかじめ設定された時間に前記応答信号を送信することを特徴とする、付記１に記載のＲＦ伝送装置。
【００５７】
（付記８）
前記ＲＦタグは、
各前記ビットの電位波形の１つの電位における時間の長さによって各前記ビットのロジック状態を判断することで、前記ＲＦ命令に基づき前記応答信号の生成及び制御信号の出力の有無を判断する処理回路と、
前記制御信号に制御される応用回路と、
を含むことを特徴とする、付記１に記載のＲＦ伝送装置。
【００５８】
（付記９）
前記ＲＦタグは、前記処理回路に接続し、第１押圧状態及び第２押圧状態を有し、前記処理回路が前記第１押圧状態及び前記第２押圧状態によって異なるロジック状態を有する前記応答信号を生成する物理的なボタンを更に含むことを特徴とする、付記８に記載のＲＦ伝送装置。
【００５９】
（付記１０）
前記ＲＦリーダは、
前記応答信号の各前記ビットの前記電位波形の１つの電位における時間の長さによって前記応答信号の各前記ビットのロジック状態を判断することで、前記応答信号によって制御信号を出力する処理回路と、
前記制御信号に制御される応用回路と、
を含むことを特徴とする、付記１に記載のＲＦ伝送装置。
【００６０】
（付記１１）
前記処理回路は、更に前記ＲＦ命令を生成するために用いられ、前記ＲＦリーダが前記処理回路に接続し、第１押圧状態及び第２押圧状態を有し、前記処理回路が前記第１押圧状態及び前記第２押圧状態によって異なるロジック状態を有する前記ＲＦ命令を生成する物理的なボタンを更に含むことを特徴とする、付記１０に記載のＲＦ伝送装置。
【００６１】
（付記１２）
ＲＦリーダがＲＦ命令を送信することと、
ＲＦタグが複数のビットを含む前記ＲＦ命令を受信することと、
前記ＲＦタグが各前記ビットの前記電位波形の１つの電位における時間の長さによって各前記ビットのロジック状態を判断することと、
前記ＲＦタグは各前記ビットのロジック状態に基づき前記ＲＦ命令が複数の第１あらかじめ保存された命令と一致するかどうかを判断することと、
前記ＲＦタグは前記ＲＦリーダに応答するため、前記ＲＦ命令と前記第１あらかじめ保存された命令との一致の有無という判断結果によって応答信号を送信するかどうか判断し、前記ＲＦタグが前記応答信号を送信する時、あらかじめ設定された時間に前記応答信号を送信することと、
別のＲＦタグが前記ＲＦ命令を受信することと、
前記別のＲＦタグが各前記ビットの前記電位における時間の長さによって各前記ビットのロジック状態を判断することと、
前記別のＲＦタグは各前記ビットのロジック状態に基づき前記ＲＦ命令が複数の第２あらかじめ保存された命令と一致するかどうかを判断することと、
前記別のＲＦタグは前記ＲＦリーダに応答するため、前記ＲＦ命令と前記第２あらかじめ保存された命令との一致の有無という判断結果によって別の応答信号を送信するかどうか判断し、前記別のＲＦタグが前記別の応答信号を送信する時、別のあらかじめ設定された時間に前記別の応答信号を送信し、前記別のあらかじめ設定された時間と前記あらかじめ設定された時間との時間差は閥値より大きいことと、
を含むことを特徴とする、ＲＦ伝送方法。
【００６２】
（付記１３）
前記電位波形が高電位、低電位、プラス電位、ゼロ電位、マイナス電位の少なくともいずれか一つを含み、付記１２に記載のＲＦ伝送方法。
【００６３】
（付記１４）
各前記ビットのロジック状態に基づき前記ＲＦ命令が前記第１あらかじめ保存された命令と一致するかどうかを判断することで、前記応答信号の送信の有無を判断するステップは、
前記ＲＦタグが各前記ビットのロジック状態に基づき前記ＲＦ命令と前記第１あらかじめ保存された命令を照合することと、
前記ＲＦ命令と各前記あらかじめ保存された命令とが不一致であった場合、前記ＲＦタグが前記応答信号を送信しないことと、
を含むことを特徴とする、付記１２に記載のＲＦ伝送方法。
【００６４】
（付記１５）
各前記ビットのロジック状態に基づき前記ＲＦ命令が前記第１あらかじめ保存された命令と一致するかどうかを判断することで、前記応答信号の送信の有無を判断するステップは、前記ＲＦ命令と前記第１あらかじめ保存された命令とが一致した場合、前記ＲＦタグが前記あらかじめ設定された時間に前記応答信号を送信することを更に含むことを特徴とする、付記１４に記載のＲＦ伝送方法。
【００６５】
（付記１６）
前記別のＲＦタグは各前記ビットのロジック状態に基づき前記ＲＦ命令が前記第２あらかじめ保存された命令と一致するかどうかを判断することで、前記別の応答信号の送信の有無を判断するステップは、
前記別のＲＦタグが各前記ビットのロジック状態に基づき前記ＲＦ命令と前記第２あらかじめ保存された命令を照合することと、
前記ＲＦ命令と前記第２あらかじめ保存された命令とが一致した場合、前記別のＲＦタグが前記別のあらかじめ設定された時間に前記別の応答信号を送信することと、
を含むことを特徴とする、付記１５に記載のＲＦ伝送方法。
【００６６】
（付記１７）
前記ＲＦタグが前記応答信号を送信した時、前記ＲＦリーダの応用回路を駆動させるため、前記ＲＦリーダの前記処理回路が前記応答信号に基づき制御信号を出力することを更に含むことを特徴とする、付記１２に記載のＲＦ伝送方法。
【００６７】
（付記１８）
前記ＲＦタグが前記応答信号を送信するかどうかを判断するステップは、
前記処理回路が前記ＲＦ命令の各前記ビットのロジック状態に基づき前記応答信号を生成するかどうかを判断することと、
前記処理回路が前記ＲＦ命令に基づき応答信号を生成した時、前記ＲＦタグの物理的なボタンの第１押圧状態及び第２押圧状態によって異なるロジック状態を有する前記応答信号を生成し、前記ＲＦタグに前記応答信号を送信させることと、
を含むことを特徴とする、付記１２に記載のＲＦ伝送方法。
【００６８】
（付記１９）
前記ＲＦタグが各前記ビットの１つの電位における時間の長さによって各前記ビットのロジック状態を判断するステップにおいて、前記ＲＦタグの前記処理回路が各前記ビットのロジック状態を判断し、かつ前記処理回路が前記ＲＦ命令に基づき制御信号を出力して前記ＲＦタグの前記応用回路を駆動させることを特徴とする、付記１２に記載のＲＦ伝送方法。
【００６９】
（付記２０）
前記ＲＦリーダが前記ＲＦ命令を送信するステップは、前記ＲＦリーダの前記処理回路が前記ＲＦリーダの物理的なボタンの一第１押圧状態及び第２押圧状態によって異なるロジック状態を有する前記ＲＦ命令を各々生成し、前記ＲＦリーダに前記ＲＦ命令を送信させることを含むことを特徴とする、付記１２に記載のＲＦ伝送方法。
【００７０】
（付記２１）
前記ＲＦリーダが前記送信ＲＦ命令を送信するステップにおいて、前記ＲＦリーダがデフォルトされていた遅延時間を待った後で前記ＲＦ命令を送信することを特徴とする、付記１２に記載のＲＦ伝送方法。
【００７１】
（付記２２）
前記ＲＦタグが前記応答信号を送信するかどうかを判断するステップは、前記ＲＦタグが前記応答信号を送信した時、デフォルトされていた遅延時間を待った後で前記あらかじめ設定された時間に前記応答信号を送信することを含むことを特徴とする、付記１２に記載のＲＦ伝送方法。
【符号の説明】
【００７２】
１１      ＲＦリーダ
１１１    ＲＦ回路
１１２    処理回路
１１３    応用回路
１１４    物理的なボタン
１２      ＲＦタグ
１２１    ＲＦ回路
１２２    処理回路
１２３    メモリ回路
１２４    応用回路
１２５    物理的なボタン
１３      ＲＦタグ
１３１    ＲＦ回路
１３２    処理回路
１３３    メモリ回路
１３４    応用回路
１３５    物理的なボタン
Ｓ１      ＲＦ命令
Ｓ２      第１応答信号
Ｓ３      第２応答信号
Ｔ１      第１時間の長さ
Ｔ２      第２時間の長さ
Ｔ３      第３時間の長さ
Ｔ４      第４時間の長さ
Ｔ５      デフォルトされていた遅延時間
Ｔ６      時間範囲
Ｔ７      時間範囲
Ｔ８      時間範囲
【図１】
2018190421.tif 000003
【図２Ａ】
2018190421.tif 000004
【図２Ｂ】
2018190421.tif 000005
【図３】
2018190421.tif 000006
【図４】
2018190421.tif 000007
【図５】
2018190421.tif 000008